(57)【要約】  収納本体部（１２）に二次電池（１４０）と回路ブロック（４０）とを収納する二次電池収納システムラック（１０）を複数整列配置する蓄電システムにおいて、各二次電池収納システムラック（１０）の収納本体部（１２）には、他の二次電池収納システムラック（１０）の外壁面に接触する壁面の内部側に耐火断熱材板が配置される。二次電池収納システムラック（１０）を二列に整列配置する蓄電システム（２５０）の場合、各二次電池収納システムラック（１０）の収納本体部（１２）において、左壁面、右壁面、裏壁面の内部側に、耐火断熱材板（１６０），（１６２），（１６４）がそれぞれ配置される。
2012015002.tif 000002
【特許請求の範囲】
【請求項１】
収納本体部に、二次電池と、前記二次電池の充放電を制御する回路ブロックとを収納する二次電池収納システムラックを複数整列配置する蓄電システムにおいて、
前記整列配置された複数の前記二次電池収納ラックを構成する各二次電池収納システムラックの収納本体部のそれぞれは、当該二次電池収納システムラックに隣接する他の前記二次電池収納システムラックの外壁面に接触する当該二次電池収納システムラックの壁面である接触壁面の内部側に予め定めた配置方法で板材が配置されることを特徴とする蓄電システム。
【請求項２】
請求項１に記載の蓄電システムにおいて、
前記予め定められた配置方法として、隣接する前記二次電池収納システムラックの間で互いに接する前記外壁面である前記接触壁面のうち、いずれか一方の前記二次電池収納システムラックの前記収納本体部の前記接触壁面の内部側に前記板材を配置し、他方の前記二次電池収納システムラックの前記収納本体部の前記接触壁面の内部側には前記板材の配置を省略することを特徴とする蓄電システム。
【請求項３】
請求項２に記載の蓄電システムにおいて、
複数の前記二次電池収納システムラックを横一列に整列配置する場合に、
前記各二次電池収納システムラックの前記収納本体部は、
前記横一列配置されるときに前記他の二次電池収納システムラックの前記外壁面に隣接する左壁面の内部側または右壁面の内部側のいずれか一方側に前記板材が配置されることを特徴とする蓄電システム。
【請求項４】
請求項２に記載の蓄電システムにおいて、
前記各二次電池収納システムラックの四方の前記外壁面のうち一つの外壁面に開閉扉が設けられ、前記開閉扉が設けられる前記外壁面を正面とし、前記正面の反対側の前記外壁面を裏面として、複数の前記二次電池収納システムラックの正面を揃えて横一列に配置して一方側の列とし、別の複数の前記二次電池収納システムラックの正面を揃えて横一列に配置して他方側の列とし、前記一方側の列を構成する前記各二次電池収納システムラックの前記裏面と、前記他方側の列を構成する前記各二次電池収納システムラックの前記裏面とを接するように配置して複数の前記二次電池収納システムラックを二列に整列配置する場合に、
前記一方側の列における一つおきの前記各二次電池収納システムラックを一方側指定ラックとして、前記他方側の列における一つおきであって前記一方側指定ラックに前記裏面が接していない前記各二次電池収納システムラックを他方側指定ラックとして、前記一方側指定ラックと前記他方側指定ラックである前記各二次電池収納システムラックの前記収納本体部は、
前記正面以外の三方の前記外壁面である前記左壁面と前記右壁面と前記裏壁面のそれぞれの内部側に前記板材が配置されることを特徴とする蓄電システム。
【請求項５】
請求項１に記載の蓄電システムにおいて、
前記複数の二次電池収納システムラックを横一列に整列配置する場合に、
前記各二次電池収納システムラックの前記収納本体部は、
前記横一列配置されるときに前記他の二次電池収納システムラックの前記外壁面に隣接する左壁面の内部側と右壁面の内部側のそれぞれに前記板材が配置されることを特徴とする蓄電システム。
【請求項６】
請求項１に記載の蓄電システムにおいて、
前記各二次電池収納システムラックの四方の前記外壁面のうち一つの前記外壁面に開閉扉が設けられ、前記開閉扉が設けられる前記外壁面を正面とし、前記正面の反対側の前記外壁面を裏面として、複数の前記二次電池収納システムラックの前記正面を揃えて横一列に配置して一方側の列とし、別の複数の前記二次電池収納システムラックの前記正面を揃えて横一列に配置して他方側の列とし、前記一方側の列を構成する前記各二次電池収納システムラックの前記裏面と、前記他方側の列を構成する前記各二次電池収納システムラックの前記裏面とを接するように配置して複数の前記二次電池収納システムラックを二列に整列配置する場合に、
前記各二次電池収納システムラックの前記収納本体部は、
前記正面以外の三方の前記外壁面である前記左壁面と前記右壁面と前記裏壁面のそれぞれの内部側に前記板材が配置されることを特徴とする蓄電システム。
【請求項７】
請求項１に記載の蓄電システムにおいて、
前記板材は、耐火断熱材板であることを特徴とする蓄電システム。
【請求項８】
請求項７に記載の蓄電システムにおいて、
前記耐火断熱材板は、ケイ酸カルシウム板であることを特徴とする蓄電システム。
【請求項９】
二次電池と、
前記二次電池の充放電を制御する回路ブロックと、
前記二次電池と前記回路ブロックとを収納する収納本体部であって、四方の外壁面のうち一つの外壁面に開閉扉が設けられ、前記開閉扉が設けられる前記外壁面を正面とし、前記正面の反対側の前記外壁面を裏壁面とし、前記正面に向かって左側の前記外壁面を左壁面とし、前記正面に向かって右側の前記外壁面を右壁面として、前記裏壁面と前記左壁面と前記右壁面の少なくとも１つの前記外壁面の内部に板材が配置される収納本体部と、
を備えることを特徴とする二次電池収納システムラック。
【請求項１０】
請求項９に記載の二次電池収納システムラックにおいて、
前記収納本体部は、前記左壁面の内部側または前記右壁面の内部側のいずれか一方側に前記板材が配置されることを特徴とする二次電池収納システムラック。
【請求項１１】
請求項９に記載の二次電池収納システムラックにおいて、
前記収納本体部は、前記正面以外の三方の前記外壁面である前記左壁面と前記右壁面と前記裏壁面のそれぞれの内部側に前記板材が配置されることを特徴とする二次電池収納システムラック。
【請求項１２】
請求項９に記載の二次電池収納システムラックにおいて、
前記板材は、耐火断熱材板であることを特徴とする二次電池収納システムラック。
【発明の詳細な説明】
【技術分野】
【０００１】
本発明は、蓄電システム及び二次電池収納システムラックに係り、特に、回路装置と二次電池とを内部に収納する二次電池収納システムラックを複数整列配置した蓄電システムとこれに用いられる二次電池収納システムラックに関する。
【背景技術】
【０００２】
二次電池等の蓄電装置を利用することで、エネルギーの有効活用がなされている。例えば、近年、環境に優しいクリーンエネルギーとして太陽光発電システムの開発が盛んに行なわれているが、太陽光を電力に変換する光電変換モジュールは蓄電機能を備えていないため、二次電池と組合わせて使用されることがある。例えば、光電変換モジュールにより発電された電力を一旦二次電池に充電して、外部負荷の要求等に応じて二次電池から放電する充放電制御によってエネルギーの有効活用が行なわれている。【０００３】
二次電池には、例えば、リチウムイオン二次電池を用いることができる。二次電池は、様々な環境等のもとで長期間使用されるため、様々な安全策が講じられることが望まれる。そこで、例えばリチウムイオン二次電池単体等においても様々な安全策が講じられているが、二次電池をラック等に収納して用いる場合に、さらに安全性を向上させることが好ましい。【０００４】
例えば、特許文献１には、電源装置として、安全弁を備える複数の電池をケースに収納する電源装置であって、ケースを区画壁でもって、複数の電池を収納している電池室と、この電池室に収納される電池の安全弁から排出されるガスを排気する排気室とに区画している構成が開示されている。ここでは、消火剤または不活性流体を排気室に噴射する消火器と、排気室の内圧を検出する圧力センサとを備え、消火器を圧力センサで制御して、排気室の内圧が設定圧力よりも高くなると、消火器が排気室内に消火剤または不活性流体を噴射するようにしてなる構成が開示されている。
【先行技術文献】
【特許文献】
【０００５】
【特許文献１】特開２００７−２７０１１号公報
【発明の概要】
【発明が解決しようとする課題】
【０００６】
ところで、負荷設備の仕様によっては、１つの電源装置の充放電容量では不十分の場合があり、その場合には複数の電源装置を用いることになる。あるいは、１つの工場施設等で、複数の負荷設備を有する場合に、これらに必要な電源装置を１箇所にまとめて管理することが便利である。このような場合には、複数の電源装置を１箇所に集めて、整列配置させて電源セットとすることがよい。【０００７】
特許文献１の構成では、複数の二次電池を収納する１つの電源装置について異常を監視して必要なときに消火剤を噴射させることができるが、複数の電源装置をセットとしたときの配慮が特になされていない。このように、特許文献１の方法では、複数の電源装置をセットにしたときの異常の対策としては不十分な場合があるので、さらに安全性を向上させることが好ましい。【０００８】
本発明の目的は、二次電池収納システムラックを複数整列配置した場合に、１つの二次電池収納システムラックに発熱等の異常が生じても、隣接する二次電池収納システムラックにその影響が及ぶことを抑制できる蓄電システムおよびこれに用いられる二次電池収納システムラックを提供することである。
【課題を解決するための手段】
【０００９】
本発明に係る蓄電システムは、収納本体部に、二次電池と、前記二次電池の充放電を制御する回路ブロックとを収納する二次電池収納システムラックを複数整列配置する蓄電システムにおいて、前記整列配置された複数の前記二次電池収納ラックを構成する各二次電池収納システムラックの収納本体部のそれぞれは、当該二次電池収納システムラックに隣接する他の前記二次電池収納システムラックの外壁面に接触する当該二次電池収納システムラックの壁面である接触壁面の内部側に予め定めた配置方法で板材が配置されることを特徴とする。【００１０】
また、本発明に係る二次電池収納システムラックは、二次電池と、前記二次電池の充放電を制御する回路ブロックと、前記二次電池と前記回路ブロックとを収納する収納本体部であって、四方の外壁面のうち一つの外壁面に開閉扉が設けられ、前記開閉扉が設けられる前記外壁面を正面とし、前記正面の反対側の前記外壁面を裏壁面とし、前記正面に向かって左側の前記外壁面を左壁面とし、前記正面に向かって右側の前記外壁面を右壁面として、前記裏壁面と前記左壁面と前記右壁面の少なくとも１つの前記外壁面の内部に板材が配置される収納本体部と、を備えることを特徴とする。
【発明の効果】
【００１１】
上記構成によれば、二次電池収納システムラックを複数整列配置した場合に、各二次電池収納システムラックの収納本体部において、他の二次電池収納システムラックの外壁面に接触する壁面である接触壁面の内部側に板材が配置されるので、１つの二次電池収納システムラックに発熱等の異常が生じても、隣接する二次電池収納システムラックにその影響が及ぶことを抑制できる。
【図面の簡単な説明】
【００１２】
【図１】本発明に係る実施の形態において、１つの二次電池収納システムラックにおいて正面扉を閉じているときの正面図と上面図を示す図である。
【図２】本発明に係る実施の形態において、１つの二次電池収納システムラックにおいて正面扉を開いているときの正面図と上面図を示す図である。
【図３】本発明に係る実施の形態において、複数の二次電池収納システムラックを横一列に整列配置させたときの耐火断熱材板の配置状態を説明する図である。
【図４】図３において、耐火断熱材板の配置を一部省略できる例を説明する図である。
【図５】本発明に係る実施の形態において、複数の二次電池収納システムラックを二列に整列配置させたときの耐火断熱材板の配置状態を説明する図である。
【図６】図５において、耐火断熱材板の配置を一部省略できる例を説明する図である。
【発明を実施するための形態】
【００１３】
以下に図面を用いて、本発明に係る実施の形態を詳細に説明する。以下では、二次電池としてリチウムイオン組電池を説明するが、これ以外でも充放電可能で、電気化学反応によって発熱する電池であってもよい。例えばニッケル水素組電池、ニッケルカドミウム組電池、マンガン組電池等であってもよい。組電池とするのは、単電池を組み合わせて所望の高電圧とするためである。したがって、組電池を構成する単電池の数は、仕様に応じ適宜なものとできる。
【００１４】
また、板材として、耐火断熱材板であるケイ酸カルシウム板を説明するが、これ以外でも、適当な耐火性、適当な断熱性、適当な強度を有する材質の板であればよい。例えば、適当な材質のセラミック板を用いることができる。
【００１５】
また、以下で述べる寸法、形状、材質等は、説明のための例示であり、二次電池収納システムラックの仕様に応じ適宜変更が可能である。例えば、以下で述べる二次電池ブロックに収納される二次電池の個数、耐火断熱材板の個数、蓄電システムを構成する二次電池収納システムラックの個数等は、例示である。
【００１６】
また、以下では、全ての図面において同様の要素には同一の符号を付し、重複する説明を省略する。また、本文中の説明においては、必要に応じそれ以前に述べた符号を用いるものとする。
【００１７】
図１は、二次電池収納システムラック１０において正面扉１４を閉じているときの正面図と上面図を示す図である。図２は、二次電池収納システムラック１０において正面扉１４を開いているときの正面図と上面図を示す図である。二次電池収納システムラック１０は、収納本体部１２と、消火装置２０とを含んで構成される。なお、ここでは、周囲への影響を考慮しなくても単体で用いることができる二次電池収納システムラック１０の構成が示されている。後述するように、複数の二次電池収納システムラック１０を組み合わせてセットで用いる場合には、隣接する二次電池システムラック１０への影響を考慮した構成となる。
【００１８】
収納本体部１２は、回路ブロック４０と、複数の二次電池１４０を含んで構成される二次電池ブロック１２０とを内部に収納するラックとしての機能を有する。収納本体部１２は、上下方向に細長い箱型で、設置面に接する底面が略正方形を有し、三方が外壁部としての側壁部材で囲まれ、残り一方が開閉可能な正面扉１４である。ここで、上下方向とは図１，２に示されるように重力方向Ｇを示すものである。
【００１９】
なお、側壁部材と正面扉１４は、適当な強度を有する材料、例えば、ステンレス鋼材を用いて形成されている。寸法の一例を示すと、底面は約７０ｃｍ×約７０ｃｍ、高さは、約２４０ｃｍである。なお、消火装置２０の高さ寸法は、約５０ｃｍである。勿論これ以外の寸法としてもよい。
【００２０】
収納本体部１２の天井部の上側に載置される消火装置２０は、二次電池ブロック１２０において消火が必要な際に、消火剤を供給する機能を有する消火設備である。
【００２１】
収納本体部１２の正面扉１４において下部に設けられる吸気ファン部３２は、二次電池収納システムラック１０の外部から内部に空気を取り込む機能を有する。また、正面扉１４の上部に設けられる排気ファン部３０は、二次電池収納システムラック１０の内部から外部に空気を排出する機能を有する。吸気ファン部３２と排気ファン部３０、それぞれ正面扉１４に設けられる開口部と、開口部に合わせて正面扉１４に取り付けられるファンとを含んで構成される。吸気ファン部３２と排気ファン部３０の動作は、回路ブロック４０の下で制御される。
【００２２】
収納本体部１２の内部に収納される回路ブロック４０は、電力分配器ユニットと、制御ユニットと、ブレーカユニットとを含んで構成される。
【００２３】
ここで、電力分配器ユニットは、外部からの電力を受け取り、電圧変換あるいは交直変換等によって、二次電池ブロック１２０の各二次電池１４０に充電するために適切な直流電力に電力変換を行なう機能と、二次電池ブロック１２０からの放電電力について、電圧変換あるいは直交変換等によって、外部の負荷に電力を供給するための電力変換を行なう機能を有する。
【００２４】
また、制御ユニットは、外部から伝送される充放電指令に基いて電力分配器ユニットの動作を制御する充放電制御機能を有する。また、消火制御機能として、二次電池ブロック１２０から伝送される二次電池温度信号等に基いて、消火装置２０の動作を制御し、消火装置２０の作動の際に、吸気ファン部３２、排気ファン部３０の動作を停止させる機能を有する。
【００２５】
また、ブレーカユニットは、制御ユニットの制御の下で、電力分配器ユニットと二次電池ブロック１２０との間において充放電電力を遮断する機能を有する。
【００２６】
二次電池ブロック１２０は、複数の二次電池１４０と、各二次電池１４０の間に配置される複数の耐火断熱材板１３４を含んで構成される。複数の二次電池１４０と複数の耐火断熱材板１３４は、図示されていないが適当な支持部材によって、重力方向に沿って上下方向に交互配置が行われる。図２の例では、６つの二次電池１４０と、６枚の耐火断熱材板１３４が、重力方向に沿って上下方向に交互に配置されている。
【００２７】
二次電池１４０は、組電池ケースとその内部に収納される複数のリチウムイオン単電池とで構成されるリチウムイオン組電池である。
【００２８】
耐火断熱材板１３４は、隣接する二次電池１４０の間を、熱的に離隔させるための板材である。具体的には、耐火性・断熱効果・強度に優れているケイ酸カルシウム板が用いられる。耐火断熱材板１３４は、万一、１つの二次電池１４０が発火しても、その発火が隣接する二次電池１４０に及ばないように、板厚方向に気体遮断性を有し、加工孔等の開口を有しない遮蔽平板である。
【００２９】
このように、耐火断熱材板１３４によって上下を仕切られて区分された空間に、二次電池１４０を１つずつ配置することで、１つの二次電池収納システムラック１０の内部において複数の二次電池１４０の１つに発熱異常が発生した場合でも、その二次電池１４０の発熱異常に留めて、熱の伝播による他の二次電池１４０の発熱異常の発生を抑制することができる。
【００３０】
図１、図２で説明した耐火断熱材板１３４は、１つの二次電池収納システムラック１０の二次電池ブロック１２０の内部における二次電池１４０の異常については有効な手段であるが、複数の二次電池収納システムラック１０を整列配置するときには、１つの二次電池収納システムラック１０で発生した異常の影響を他の二次電池収納システムラック１０に及ぼさないようにする別の配慮が必要である。
【００３１】
そこで、次に、図１、図２で説明した二次電池収納システムラック１０を複数整列配置した蓄電システムにおける耐火断熱材板の配置について、図３から図６を用いて説明する。図３と図４は、５つの二次電池収納システムラック１０を横一列に整列配置させたときの耐火断熱材板の配置状態を説明する図であり、図５と図６は、１０の二次電池収納システムラックを、一列あたり５つずつとして二列に整列配置させたときの耐火断熱材板の配置状態を説明する図である。これらの図は、図１、図２と同様に、正面図と上面図が示され、正面図における横一列の５つの二次電池収納システムラックのうち、紙面において一番左側のものは正面扉１４が閉じられた状態とし、その右側の５つのものは正面扉が開かれた状態として示されている。
【００３２】
図３は、５つの二次電池収納システムラック１０を横一列に整列配置させた蓄電システム２００の様子を示す図である。ここでは、各二次電池収納システムラック１０の収納本体部１２において、他の二次電池収納システムラック１０の外壁面に接触する壁面である接触壁面の内部側に耐火断熱材板１６０，１６２が配置される。具体的には、各二次電池収納システムラック１０の収納本体部１２において、横一列配置されるときの他の二次電池収納システムラック１０の外壁面に隣接する左壁面の内部側に耐火断熱材板１６０が配置され、右壁面の内部側に耐火断熱材板１６２が配置される。ここで、左または右とは、横一列に配置された二次電池収納システムラック１０の正面扉１４に向かっての左右方向を指している。
【００３３】
これによって、１つの二次電池収納システムラック１０に発熱等の異常が生じても、隣接する二次電池収納システムラック１０にその影響が及ぶことを抑制できる。
【００３４】
図４は、二次電池収納システムラック１０を横一列に整列配置させる場合に、耐火断熱材板の配置を一部省略できる蓄電システム２０１の様子を示す図である。すなわち、図３の場合には、横一列に配置された５つの二次電池収納システムラック１０のうち、最も左端の二次電池収納システムラック１０の左壁面と、最も右端の二次電池収納システムラック１０の右壁面を除いて、隣接する二次電池収納システムラック１０の互いに接触する壁面の内部側にそれぞれ耐火断熱材板１６０と耐火断熱材板１６１が配置され、いわば二重配置となっている。
【００３５】
図４の蓄電システム２０１においては、横一列配置されるときに二次電池収納システムラック１０の左壁面の内部側に耐火断熱材板１６０が配置され、右側面の内部側には耐火断熱材板の配置が省略される。このような配置によっても、１つの二次電池収納システムラック１０に発熱等の異常が生じたときに、隣接する二次電池収納システムラック１０にその影響が及ぶことを抑制できる。なお、図４の構成に代えて、二次電池収納システムラック１０の右壁面の内部側に耐火断熱材板１６２を配置し、左側面の内部側に耐火断熱材板の配置を省略するものとしてもよい。
【００３６】
図５は、１０個の二次電池収納システムラックを５つずつ二列に整列配置させた蓄電システム２５０における耐火断熱材板の配置状態を説明する図である。この蓄電システム２５０の配置構成は以下の通りである。すなわち、各二次電池収納システムラック１０の開閉扉である正面扉１４が設けられる外壁面を正面とし、その正面の反対側の外壁面を裏面として、５つの二次電池収納システムラック１０の正面を揃えて横一列に配置して一方側の列とし、別の５つの二次電池収納システムラック１０の正面を揃えて横一列に配置して他方側の列とし、一方側の列を構成する各二次電池収納システムラック１０の裏面と、他方側の列を構成する各二次電池収納システムラック１０の裏面とを接するように配置して１０個の二次電池収納システムラック１０が二列に整列配置される。
【００３７】
そして、この蓄電システム２５０において耐火断熱材板の配置は以下の通りである。すなわち、各二次電池収納システムラック１０の収納本体部１２において、左壁面の内部側に耐火断熱材板１６０が、右壁面の内部側に耐火断熱材板１６２が、裏壁面の内部側に耐火断熱材板１６４がそれぞれ配置される。すなわち、各二次電池収納システムラック１０の二次電池ブロック１２０の正面をのぞく三方の各壁面の内部側にそれぞれ耐火断熱材板が配置される。
【００３８】
これによって、１つの二次電池収納システムラック１０に発熱等の異常が生じても、隣接する二次電池収納システムラック１０にその影響が及ぶことを抑制できる。
【００３９】
なお、図５の例では、一方側の列を手前側の列とし、他方側の列を向こう側の列として、一方側の列を構成する各二次電池収納システムラック１０の裏面が、他方側の列を構成する各二次電池収納システムラック１０の裏面とちょうど同じ面積で接するように配置されるが、これを、横一列の並び方向に互いにずらして配置するものとしてもよい。
【００４０】
例えば、ずらし量を、１つの二次電池収納システムラック１０の横方向の長さの半分として、一方側の列を構成する１つの二次電池収納システムラック１０の裏面が、他方側の列を構成する２つの二次電池収納システムラック１０の裏面にそれぞれ半分ずつ接するように配置するものとしてもよい。このような配置構成でも、各二次電池収納システムラック１０の二次電池ブロック１２０の正面をのぞく三方の各壁面の内部側にそれぞれ耐火断熱材板が配置されているので、１つの二次電池収納システムラック１０に発熱等の異常が生じても、隣接する二次電池収納システムラック１０にその影響が及ぶことを抑制できる。
【００４１】
図６は、複数の二次電池収納システムラック１０を二列に整列配置させる場合に、耐火断熱材板の配置を一部省略できる蓄電システム２５１の様子を示す図である。つまり、図５の場合には、各二次電池収納システムラック１０のそれぞれに、正面を除く三方の各壁面の内部側にすべて耐火断熱材板が配置されているので、いわば二重配置となっている箇所がある。
【００４２】
図６の蓄電システム２５１においては、二列に整列配置される１０個の二次電池収納システムラック１０について、斜め方向に１つ飛びの千鳥配置となるものについて正面を除く三方の各壁面の内部側にすべて耐火断熱材板を配置し、それ以外のものについては耐火断熱材板の配置を省略する構成をとる。
【００４３】
すなわち、図５で説明した一方側の列における一つおきの各二次電池収納システムラック１０を一方側指定ラックとして、他方側の列における一つおきであって一方側指定ラックに裏面が接していない各二次電池収納システムラック１０を他方側指定ラックとして、一方側指定ラックと他方側指定ラックである各二次電池収納システムラック１０の収納本体部について、正面以外の三方の外壁面である左壁面と右壁面と裏壁面のそれぞれの内部側に耐火断熱材板を配置し、一方側指定ラック以外の二次電池収納システムラック１０と、他方側指定ラック以外の二次電池収納システムラック１０には耐火断熱材板の配置を省略する。
【００４４】
図６で説明すると、手前側の５つの二次電池収納システムラック１０が一方側の列であり、ここでは、左側から２つ目の二次電池収納システムラック１０と４つ目の二次電池収納システムラック１０が一方側指定ラックである。向こう側の５つの二次電池収納システムラック１０が他方側の列であり、ここでは、左側から１つ目の二次電池収納システムラック１０と３つ目の二次電池収納システムラック１０と５つ目の二次電池収納システムラック１０が他方側指定ラックである。このように、２つの一方側指定ラックと３つの他方側指定ラックは、図６の紙面において、いわゆる千鳥配置の関係になっている。
【００４５】
ここで、２つの一方側指定ラックのそれぞれと、３つの他方側指定ラックのそれぞれには、各二次電池収納システムラック１０の収納本体部１２において、左壁面の内部側に耐火断熱材板１６０が、右壁面の内部側に耐火断熱材板１６２が、裏壁面の内部側に耐火断熱材板１６４がそれぞれ配置される。すなわち、各二次電池収納システムラック１０の二次電池ブロック１２０の正面をのぞく三方の各壁面の内部側にそれぞれ耐火断熱材板が配置される。
【００４６】
これに対し、２つの一方側指定ラックと３つの他方側指定ラック以外の各二次電池収納システムラック１０には、左壁面の内部側にも、右壁面の内部側にも、裏壁面の内部側にも、耐火断熱材板が配置されない。すなわち、図６の手前側の列である一方側の列では、左側から１つ目の二次電池収納システムラック１０と３つ目の二次電池収納システムラック１０と５つ目の二次電池収納システムラック１０には、左壁面の内部側にも、右壁面の内部側にも、裏壁面の内部側にも、耐火断熱材板の配置が省略される。また、図６の向こう側の列である他方側の列では、左側から２つ目の二次電池収納システムラック１０と４つ目の二次電池収納システムラック１０には、左壁面の内部側にも、右壁面の内部側にも、裏壁面の内部側にも、耐火断熱材板の配置が省略される。
【００４７】
このような配置によっても、１つの二次電池収納システムラック１０に発熱等の異常が生じたときに、隣接する二次電池収納システムラック１０にその影響が及ぶことを抑制できる。なお、図６の構成に代えて、指定ラックでない二次電池収納システムラック１０を指定ラックとし、指定ラックである二次電池収納システムラック１０を指定ラックでないものとしてもよい。このようにしても、いわゆる千鳥配置で指定ラックが配置されるので、図６と同様の効果を奏することができる。
【産業上の利用可能性】
【００４８】
本発明に係る蓄電システムは、回路装置と複数の二次電池とを内部に収納する二次電池収納装置として利用できる。
【符号の説明】
【００４９】
１０  二次電池収納システムラック、１２  収納本体部、１４  正面扉、２０  消火装置、３０  排気ファン部、３２  吸気ファン部、４０  回路ブロック、１２０  二次電池ブロック、１３４，１６０，１６２，１６４  耐火断熱材板、１４０  二次電池、２００，２０１，２５０，２５１  蓄電システム。
【図１】
2012015002.tif 000003
【図２】
2012015002.tif 000004
【図３】
2012015002.tif 000005
【図４】
2012015002.tif 000006
【図５】
2012015002.tif 000007
【図６】
2012015002.tif 000008
【国際調査報告】
2012015002.tif 000009
2012015002.tif 000010